(57)【要約】      （修正有）【課題】市販のシャワーヘッドなどに直接接続され、浄水・原水を切り換え可能で、余分な設置スペースを必要としないコンパクトな汎用タイプの浄水器を提供する。【解決手段】浄水器１は、浄水カートリッジ３を収容するケース２の軸方向各端部に吐水口６を有するシャワーヘッド接続部４及び給水口９を有する給水ホース接続部５を備える。ケース内部には、浄水カートリッジを給水口から分離する隔壁１４及びケース内面と浄水カートリッジ外面の間に画定され、吐水口に連通する吐水流路１６を有する。隔壁には、浄水カートリッジの原水取入口１９に接続された浄化用通水孔２５と、吐水流路に直接開放される原水用通水孔とが、外側から切換レバー３２で操作される弁部材２９で選択的に閉塞可能に設けられている。【選択図】図２
0003102985.tif 000002
【実用新案登録請求の範囲】
【請求項１】
給水口を設けたシャワーヘッドとの接続部及び吐水口を設けた給水管との接続部を有するケースと、その内部に交換可能に収容された浄水カートリッジとを備え、前記ケースが、前記浄水カートリッジを収容するチャンバを前記給水口から分離する隔壁と、前記吐水口に連通するように前記隔壁及び前記チャンバの内面と前記浄水カートリッジの外面との間に画定され、かつ前記浄水カートリッジの浄水吐出口が開放された吐水流路とを有し、前記隔壁が、前記浄水カートリッジの前記原水取入口に連通する浄化用通水孔と、前記吐水流路に連通する原水用通水孔とを有し、外部から操作されて浄化用通水孔と原水用通水孔とを選択的に閉塞する弁部材を更に備えることを特徴とする浄水器。
【請求項２】
前記ケースが、その軸方向の両端部に前記給水口及び吐水口を有し、前記浄水カートリッジが、その前記隔壁に対面する軸方向の端面に前記原水取入口及び前記浄水吐出口を有し、その内部には、前記原水取入口から前記軸方向に延長しかつ屈曲した後に前記軸方向逆向きに延長して前記浄水吐出口に至る通路が設けられ、前記通路に沿って濾材が配置されていることを特徴とする請求項１記載の浄水器。
【考案の詳細な説明】
【技術分野】
【０００１】
本考案は、市販されている既存のシャワーヘッドや散水器のノズルヘッドなどに直接接続され、水道水などの原水を浄化して供給するための浄水器に関する。
【背景技術】
【０００２】
通常、一般家庭の浴室や洗面台、美容院や理髪店でシャワーに使用される水道水には残留塩素が多く含まれており、これをそのまま用いて頭髪や身体を洗浄した場合、髪の傷みや変色、肌荒れなどの問題を生じる虞がある。そのため、従来から様々なシャワー用浄水器が開発・提案されている。また、水道水をそのまま庭や菜園の植物に散水したり屋外でペットの動物に用いた場合にも、同様に何らかの影響を及ぼす虞がある。
【０００３】
従来のシャワー用浄水器としては、濾材を充填した浄水カートリッジを専用のシャワーヘッドの内部に、例えばシャワーヘッドの握り部や先端ノズル部に収納した一体型のものが知られている（例えば、特許文献１〜３を参照）。また、シャワーヘッドと給水栓とを接続する給水管の途中に装着される据置型の浄水器が知られている（例えば、特許文献４〜６を参照）。更に、この据置型の浄水器には、浄水と原水とを切り換えてシャワーヘッドに供給する切換機構を備えたものが知られている（例えば、特許文献７を参照）。
【０００４】
【特許文献１】実公平７−１１７９８号公報
【特許文献２】特開平１１−１７９２４４号公報
【特許文献３】特開２０００−３００４５８号公報
【特許文献４】実開平７−２１１７６号公報
【特許文献５】特開平８−８９９４１号公報
【特許文献６】特開２００２−３０１３１１号公報
【特許文献７】特開２０００−２０１８４９号公報
【考案の開示】
【考案が解決しようとする課題】
【０００５】
しかしながら、上述した従来の浄水器において、シャワーヘッドに内蔵されるタイプのものは、専用のシャワーヘッドが必要であり、製造コストが増加するという問題がある。更に、使用中のシャワーヘッドを取り外す必要があるため、それまで使用していた所望のシャワー機能を使えなくなるという問題がある。他方、据置型の浄水器は、本体を浴室内や洗面台に設置するためにスペースが必要であり、また給水栓に取り付けるタイプのものは、取付工事や浄水カートリッジの交換が面倒である。また、これら従来の浄水器は、いずれもシャワー以外の目的、例えば植物への散水や屋外で使用することができないという問題がある。
【０００６】
そこで本考案は、上述した従来の問題点に鑑みてなされたものであり、その目的は、市販されている既存のシャワーヘッドや散水器のノズルヘッドなどを取り外すことなく、これに直接接続して使用され、浄水と原水とを適宜切り換えることができ、余分な設置スペースを必要としないコンパクトな汎用タイプの浄水器を提供することにある。
【課題を解決するための手段】
【０００７】
本考案によれば、上記目的を達成するために、給水口を設けたシャワーヘッドとの接続部及び吐水口を設けた給水管との接続部を有するケースと、その内部に交換可能に収容された浄水カートリッジとを備え、該ケースが、浄水カートリッジを収容するチャンバを給水口から分離する隔壁と、吐水口に連通するように隔壁及びチャンバの内面と浄水カートリッジの外面との間に画定され、かつ浄水カートリッジの浄水吐出口が開放された吐水流路とを有し、隔壁が、浄水カートリッジの原水取入口に連通する浄化用通水孔と、吐水流路に連通する原水用通水孔とを有し、外部から操作されて浄化用通水孔と原水用通水孔とを選択的に閉塞する弁部材を更に備えることを特徴とする浄水器が提供される。
【０００８】
このように構成することによって、浄水器を市販されている既存のシャワーヘッドや散水器のノズルヘッドなどに直接接続することができ、かつ浄水と原水とを適宜切り換えて使用することができる。また、余分な設置スペースや給水設備への取付工事を必要としないので、有利である。特に、専用のシャワーヘッドを必要としない汎用タイプであることから、コストが安価であり、かつ既存のシャワーヘッドの機能をそのまま引き続いて利用することができる。
【０００９】
或る実施例では、前記ケースが、その軸方向の両端部に給水口及び吐水口を有し、前記浄水カートリッジが、その隔壁に対面する軸方向の端面に原水取入口及び浄水吐出口を有し、その内部には、原水取入口から軸方向に延長しかつ屈曲した後に軸方向逆向きに延長して浄水吐出口に至る通路が設けられ、該通路に沿って濾材が配置されていることを特徴とする浄水器が提供される。
【００１０】
これにより、浄水カートリッジ内部に濾材を充填する十分な長さの通路を画定して十分な浄水能力を確保しつつ、その軸方向長さを短くできるので、ケース全体の軸方向長さを最小にすることができ、浄水器をコンパクトに設計することができる。
【考案を実施するための最良の形態】
【００１１】
以下に、添付図面を用いて本発明による浄水器の好適実施例を詳細に説明する。
【００１２】
図１は、本発明の浄水器１を浴室などのシャワーに用いる場合を示している。概ね短円柱形をなす浄水器１は、ケース２の内部に浄水カートリッジ３が、後述するように交換可能に収容されている。ケース２には、その軸方向一方の端部にシャワーヘッド接続部４が設けられ、他方の端部には給水ホース接続部５が設けられている。
【００１３】
シャワーヘッド接続部４は、図２に示すように、その内周面にねじ部を形成した吐水口６を有する。これにシャワーヘッド７の基端側のねじ部８を螺合させて、浄水器１と一体にかつ取外可能に、図示しないＯリングを用いて液密に接続する。シャワーヘッド７は市販のもので、ねじ部８及びこれと螺合する吐水口６のねじ部はＪＩＳ規格に適合して形成される。
【００１４】
給水ホース接続部５は、図２に示すように給水口９を有し、その外周面にねじ部が形成されている。これを図示しない給水栓に接続された給水ホース１０の先端のアダプタ１１に液密に螺合させ、シャワーヘッド６及び浄水器１を一体にかつ取外可能に接続する。同様に、給水ホース１０及び接続金具１１は市販のもので、接続金具１１に螺合する給水ホース接続部５のねじ部はＪＩＳ規格に適合して形成される。
【００１５】
図２に示すように、ケース２は、吐水口６側の円筒状上側ケース１２と給水口９側の短円筒状下側ケース１３とからなり、それらの対向する開口周縁部にそれぞれ形成されたねじ部１２ａ、１３ａを互いに螺合させて液密にかつ取外可能に結合されている。下側ケース１３には、その開口を閉塞する隔壁１４がねじ部１３ａの直ぐ内側に一体に形成されている。下側ケース１３と結合された上側ケース１２の内部には、浄水カートリッジ３を収容する上側チャンバ１５が、隔壁１４により給水口９から分離して画定される。
【００１６】
上側ケース１２内部には、円柱形の浄水カートリッジ３が同軸上にかつ浄水カートリッジ外面と隔壁１４及び下側ケース１３の内面との間に隙間を画定するように配置される。この隙間によって上側チャンバ１５の内部には、吐水口６に連通する環状の吐水流路１６が画定される。他方、下側ケース１３内部には、隔壁１４によって給水口９に連通する下側チャンバ１７が画定される。
【００１７】
浄水カートリッジ３の内部は、その中心に同軸上に配置された円筒状ガイド部１８により区画されており、その内部が浄水カートリッジ３の給水口９側端面の中央に開設された原水取入口１９に連通している。円筒状ガイド部１８内には、１次フィルタ２０が充填されている。本実施例の１次フィルタ２０は、粒径約２〜３mmのセラミックボールからなる濾材で構成されるが、従来から使用されている活性炭、亜硫酸カルシウムなどの様々な濾材を使用することができる。尚、原水取入口１９は、前記濾材が抜け出ないように図示しない網状キャップが装着されている。円筒状ガイド部１８の吐水口６側の端部には、同様に前記濾材が抜け出ないように小さい多数の通水孔２１が形成されている。
【００１８】
浄水カートリッジ３内部には、円筒状ガイド部１８とカートリッジケース２２との間に環状流路が画定され、通水孔２１を介して円筒状ガイド部１８内部と連通している。浄水カートリッジ３の給水口９側端面には、その周縁に沿って多数の浄水吐出口２３が開設され、該浄水吐出口を介して、前記環状流路が上側チャンバ１５の吐水流路１６に連通している。前記環状流路の内部には、２次フィルタ２４が充填されている。本実施例の２次フィルタ２４は、シート状の脱塩素剤を巻き重ねた濾材で構成されるが、従来から使用されている他の様々な濾材を使用することができる。
【００１９】
図３に示すように、下側ケース１３の隔壁１４には、これを貫通する浄化用通水孔２５と原水用通水孔２６とが形成されている。浄化用通水孔２５が、浄水カートリッジ３の原水取入口１９に連通させるべく、隔壁１４の中心に配置されているのに対し、原水用通水孔２６は、吐水流路１６に直接開口するべく、隔壁１４の中心から放射方向外側に配置されている。隔壁１４の吐水口６側の面には、その中心位置に円筒部２７が突設され、その中心を浄化用通水孔２５が貫通している。円筒部２７は、その先端を浄水カートリッジ３の原水取入口１９に突入させて、上側ケース１２と下側ケース１３とを結合させる。原水取入口１９の周縁に例えばシリコン材料のパッキン２８を装着することによって、浄化用通水孔２５と原水取入口１９とを液密に接続することができる。
【００２０】
下側チャンバ１７の内部には、浄化用通水孔２５と原水用通水孔２６とを選択的に閉塞する弁部材２９が装着されている。弁部材２９は、その基端部２９ａが下側ケース１３内に枢支したピン３０の一方の端部に、該ピンと一体に回動可能に取り付けられ、その先端円筒部２９ｂの内部には、鋼球３１がその一部を隔壁１４に向けて突出させるようにばね付勢されている。
【００２１】
ピン３０の他方の端部には、ケース２の外部に突出する切換レバー３２が、該ピンと一体に回動可能に取り付けられている。切換レバー３２を外側から操作してケース２の周方向に動かすことによって弁部材２９を回動し、鋼球３１を図４に示すように原水用通水孔２６を閉塞する浄水位置と、図５（Ａ）及び（Ｂ）に示すように浄化用通水孔２５を閉塞する原水位置との間で移動させることができる。隔壁１４の給水口９側の面には、浄化用通水孔２５及び原水用通水孔２６の周縁部分並びに鋼球３１が移動する両通水孔間の領域を含むように、例えばシリコン材料のパッキン３３が装着されている。これにより、切換レバー３２を操作したときに、浄水用及び原水用通水孔２５、２６間で鋼球３１の移動を円滑にし、かつ各通水孔を液密に閉塞することができる。
【００２２】
次に、本実施例の浄水器１を使用する要領について説明する。図１に関連して上述したように浄水器１をシャワーヘッド６と給水ホース１０間に接続し、切換レバー３２を操作して弁部材２９を図２及び図４に示す浄水位置に設定する。この状態において前記給水栓を開くと、水道水が給水口９からケース２の下側チャンバ１７に導入され、図２に示すように浄化用通水孔２５を通って原水取入口１９から浄水カートリッジ３内に導入される。水道水は、円筒状ガイド部１８の１次フィルタ２０を通過し、かつ通水孔２１を介して前記環状流路に入り、２次フィルタ２４を通過して浄化され、浄水吐出口２３から吐水流路１６に吐出される。この浄水は、吐水流路１６を通過して吐水口６からシャワーヘッド７に供給される。
【００２３】
切換レバー３２を操作して弁部材２９を図５に示す原水位置に設定した状態では、給水口９からケース２の下側チャンバ１７に導入された水道水が、そのまま原水用通水孔２６を通って吐水流路１６に直接導入される。水道水は同様に吐水流路１６を通過し、吐水口６からシャワーヘッド７に供給される。
【００２４】
上記実施例では、本考案の浄水器を浴室などのシャワーに使用する場合について説明したが、本考案によれば、浄水器１は、シャワーヘッド接続部４及び給水ホース接続部５の各ねじ部の仕様が適合する限り、シャワーヘッド以外に、散水器や洗浄機のノズルヘッドに直接接続して使用することができる。また、本考案は、上記実施例に限定されるものでなく、これに様々な変形・変更を加えて実施することができる。
【図面の簡単な説明】
【００２５】
【図１】市販のシャワーヘッドに装着される本考案の浄水器を示す概略説明図。
【図２】本考案の浄水器をその浄水切換時において示す縦断面図。
【図３】給水口側から見た浄水器の下部ケースの隔壁を示す図。
【図４】浄水使用時における切替レバー及び弁体の位置を示す図３と同様の図。
【図５】（Ａ）図は原水切換時における切替レバー及び弁体の位置を示す図４と同様の図、（Ｂ）図はその部分縦断面図。
【符号の説明】
【００２６】
１…浄水器、２…ケース、３…浄水カートリッジ、４…シャワーヘッド接続部、５…給水ホース接続部、６…吐水口、７…シャワーヘッド、８…ねじ部、９…給水口、１０…給水ホース、１１…接続金具、１２…上側ケース、１３…下側ケース、１２ａ，１３ａ…ねじ部、１４…隔壁、１５…上側チャンバ、１６…吐水流路、１７…下側チャンバ、１８…円筒状ガイド部、１９…原水取入口、２０…１次フィルタ、２１…通水孔、２２…カートリッジケース、２３…浄水吐出口、２４…２次フィルタ、２５…浄化用通水孔、２６…原水用通水孔、２７…円筒部、２８…パッキン、２９…弁部材、２９ａ…基端部、２９ｂ…先端円筒部、３０…ピン、３１…鋼球、３２…切換レバー、３３…パッキン。
【図１】
0003102985.tif 000003
【図２】
0003102985.tif 000004
【図３】
0003102985.tif 000005
【図４】
0003102985.tif 000006
【図５】
0003102985.tif 000007